(57)【特許請求の範囲】
【請求項１】
スライドレールアセンブリであって、
第１のレールと、
前記第１のレールに対して長手方向に変位可能な第２のレールと、
第１の摺動支援装置及び第２の摺動支援装置であって、該第１の摺動支援装置及び該第２の摺動支援装置の双方は前記第１のレールに配置されるとともに、複数の回転部材を含む、第１の摺動支援装置及び第２の摺動支援装置と、
を含み、
前記第２のレールが前記第１のレールに対して引っ込め位置にある場合、前記第１の摺動支援装置の複数の回転部材及び前記第２の摺動支援装置の複数の回転部材は、前記第２のレールの異なる区画を支持し、
前記第２のレールが、前記引っ込め位置から第１の方向に所定の開範囲変位されると、前記第２の摺動支援装置は前記第２のレールを追って、所定の位置へと前記第１の方向に変位する、スライドレールアセンブリ。
【請求項２】
前記第２のレールは前側区画及び後ろ側区画を含み、
前記第２のレールが前記第１のレールに対して前記引っ込め位置にある場合、前記第２の摺動支援装置の複数の回転部材は、少なくとも前記第２のレールの後ろ側区画の一部を支持し、
前記スライドレールアセンブリは、前記第１のレールに配置される第１の作用部材と、該第１の作用部材に弾性力を提供する第１の弾性部材とをさらに含み、
前記第２の摺動支援装置は係合部を含み、
前記第２の摺動支援装置が前記所定の位置にある場合、前記第２の摺動支援装置は、前記係合部と所定の状態にある前記第１の作用部材との間のブロック構成を介して、前記第１の方向と反対の第２の方向に変位するのが防止される、請求項１に記載のスライドレールアセンブリ。
【請求項３】
前記第１の作用部材は前記第１のレールに可動に配置され、
前記スライドレールアセンブリは第３のレールをさらに含み、
前記第１のレールは前記第３のレールと前記第２のレールとの間に可動に配置され、前記第３のレールは解除構造を含み、
前記第１のレールが前記第３のレールに対して第２の方向に所定の戻り範囲変位されると、前記第１の作用部材は前記所定の状態でなくなるように前記解除構造によって駆動され、前記第２の摺動支援装置が前記所定の位置から前記第２の方向に変位できるようになる、請求項２に記載のスライドレールアセンブリ。
【請求項４】
前記第１のレールは第１の制限部をさらに含み、
前記第２の摺動支援装置が前記所定の位置にある場合、前記第２の摺動支援装置と前記第１の制限部とは、前記所定の位置にある前記第２の摺動支援装置が前記第１の方向に変位するのが防止されるように互いをブロックする、請求項３に記載のスライドレールアセンブリ。
【請求項５】
前記第１のレールに配置される第２の作用部材をさらに含み、該第２の作用部材は前記第１のレールに可動に配置され、
前記スライドレールアセンブリは、前記第２の作用部材に弾性力を提供する第２の弾性部材をさらに含み、
前記引っ込め位置にある前記第２のレールが前記第１のレールに対して前記第１の方向に変位されると、前記第２のレールは、前記第１のレールが前記第３のレールに対して前記第１の方向に前記第２のレールと同期的に変位されるように、前記第２の作用部材を介して前記第１のレールを駆動する、請求項３又は４に記載のスライドレールアセンブリ。
【請求項６】
前記第１のレールは、第１の壁、第２の壁及び該第１の壁と該第２の壁との間に接続される長手壁を含み、
前記第１のレールの第１の壁、第２の壁及び長手壁は、前記第２のレールが収容される通路を共に定義する、請求項２乃至５のいずれか一項に記載のスライドレールアセンブリ。
【請求項７】
前記第２のレールは、第１の壁、第２の壁及び該第１の壁と該第２の壁との間に接続される長手壁を含み、
前記第２の摺動支援装置は第１の端部及び第２の端部を含み、前記第２の摺動支援装置の第１の端部及び第２の端部には前記第２の摺動支援装置の複数の回転部材が配置され、
前記第１の摺動支援装置は第１の端部及び第２の端部を含み、前記第１の摺動支援装置の第1の端部及び第２の端部には前記第１の摺動支援装置の複数の回転部材が配置されて、前記第２のレールの第1の壁及び第２の壁を支持し、
前記第２のレールが前記引っ込め位置にある場合、前記第２の摺動支援装置の複数の回転部材は、前記第２のレールの第１の壁及び第２の壁を支持する、請求項６に記載のスライドレールアセンブリ。
【請求項８】
前記第３のレールは位置決め構造をさらに備え、該位置決め構造はガイド部、ブロック部及び該ガイド部と該ブロック部との間に配置される中央部を含み、
前記第２のレールと前記第１のレールとが、前記第３のレールに対して前記第１の方向に同期的に続けて変位されると、前記第２の作用部材は、前記第２の作用部材が前記位置決め構造の中央部によって支持されて、第１の所定の状態から第２の所定の状態になり、前記第２のレールと前記第１のレールとがもはや前記第３のレールに対して前記第１の方向に同期的に変位できなくなるようにするために、前記位置決め構造のガイド部によって前記中央部にガイドされる、請求項５に記載のスライドレールアセンブリ。
【請求項９】
前記第１のレールが前記第３のレールに対して伸長位置へと前記第１の方向に変位されると、前記第１の所定の状態にある前記第２の作用部材は、前記伸長位置にある前記第１のレールが前記第３のレールに対して前記第２の方向に変位するのを防止するために前記位置決め構造のブロック部と係合できる、請求項８に記載のスライドレールアセンブリ。
【請求項１０】
前記第２のレールが前記第１のレールに対して開位置から所定の範囲前記第２の方向に変位されると、前記第２のレールは、前記第２の作用部材が前記第１の所定の状態から前記第２の所定の状態になるように前記第２の作用部材を押圧し、前記第２の作用部材と前記位置決め構造のブロック部との係合を解除して、前記伸長位置にある前記第１のレールが前記第２の方向に変位できるようにし、
前記第１の作用部材は駆動部をさらに含み、前記第２のレールが前記第２の方向に続けて変位されると、前記第２のレールは、前記第２のレールと前記第１のレールとが、前記第３のレールに対して前記第２の方向に同期的に変位できるように前記第２の所定の状態にある前記第１の作用部材の駆動部に接触し、前記第２のレールと前記第１のレールの一端との間に所定の空間を維持させる、請求項９に記載のスライドレールアセンブリ。
【発明の詳細な説明】
【技術分野】
【０００１】
本発明はスライドレールアセンブリ及び構造に関し、より具体的には、２つのスライドレールの間に少なくとも２つの摺動支援装置を含むスライドレールアセンブリに関する。
【背景技術】
【０００２】
図１に示すように、従来技術のスライドレールアセンブリ１００は、お互いに対して変位可能な又は移動可能な複数のスライドレールを、例えば外側レール１０２、中間レール１０４及び内側レール１０６を含む。スライドレール１０２、１０４、１０６は通常摺動支援装置と共に配置される。例えば、摺動支援装置１０８は中間レール１０４と内側レール１０６との間に設けられ、摺動支援装置１０８は中間レール１０４と内側レール１０６との相対変位を支援しながらこれら２つのレールを支持可能な複数のボールを通常含む。内側レール１０６が中間レール１０４に対して引っ込められる状態である引っ込め状態に従来技術のスライドレールアセンブリ１００がある場合、摺動支援装置１０８は通常内側レール１０６のほぼ中間区画しか支持しない。したがって、内側レール１０６の後ろ側区画Ｋは摺動支援装置１０８（又は複数のボール）によって支持されないため、外力や保持物体の重さにより、内側レール１０６の後ろ側区画Ｋが変形したり曲がったりし易くなる。
【０００３】
上記の欠点を克服するために、特許文献１では内側レールの端部に追加のボールベアリングを含むデザインが採用されている。
【先行技術文献】
【特許文献】
【０００４】
【特許文献１】米国特許第８３０３１８３号明細書
【特許文献２】米国特許第１０４６３１５０号明細書
【特許文献３】米国特許第１０２４４８６８号明細書
【発明の概要】
【発明が解決しようとする課題】
【０００５】
しかしながら、このようなボールベアリングは、使用の間に内側レールと同期的に変位される一方で、内側レールの端部の通路内のスペースをとる。このような構成は、アセンブリのための追加のインタラクティブな機構／構造（例えば、同期機構／構造又は位置決め機構／構造）を設計する上で不利となるため、スライドレールの機能性に影響を及ぼす。
【０００６】
上記に鑑み、本発明は、２つのスライドレールの間に設けられる２つの摺動支援装置を有するスライドレールアセンブリを提供することを目的とする。
【課題を解決するための手段】
【０００７】
上記の目的は、請求項１に記載のスライドレールアセンブリによって実現される。従属クレームは、対応するさらなる展開及び改良に関連する。
【０００８】
下記の詳細な説明からより明確に分かるように、本願発明のスライドレールアセンブリは第１のレールと、第１のレールに対して長手方向に変位可能な第２のレールと、第１の摺動支援装置と、第２の摺動支援装置とを含む。第１の摺動支援装置及び第２の摺動支援装置の双方は第１のレールに配置される。第２のレールが第１のレールに対して引っ込め位置にある場合、第１の摺動支援装置及び第２の摺動支援装置は第２のレールの異なる区画を支持する。第２のレールが、引っ込め位置から第１の方向に所定の開範囲（opening  range）変位されると、前記第２の摺動支援装置は第２のレールを追って、所定の位置へと第1の方向に変位する。
【図面の簡単な説明】
【０００９】
【図１】図１は、従来技術のスライドレールアセンブリを示す概略図である。
【図２】図２は、スライドレールアセンブリを示す概略図である。
【図３】図３は、スライドレールアセンブリの第１のレール、第２のレール及び第３のレールの分解図である。
【図４】図４は、第１のレール及び２つの作用部材の分解図である。
【図５】図５は、第１のレールに組み付けられた２つの作用部材を示す図である。
【図６】図６は、引っ込められた状態にあるスライドレールアセンブリを示す図である。
【図７】図7は、第３のレールに対して第１の方向に変位されたスライドレールアセンブリの第１のレール及び第２のレールを示す図である。
【図８】図８は、第３のレールに対して第１の方向に同期的に変位されたスライドレールアセンブリの第１のレール及び第２のレールを示す図である。
【図９】図９は、第３のレールに対して第１の方向に同期的に続けて変位されたスライドレールアセンブリの第１のレール及び第２のレールを示す図である。
【図１０】図１０は、第３のレールに対して第１の方向にもはや同期的に変位されていないスライドレールアセンブリの第１のレール及び第２のレールを示す図である。
【図１１】図１１は、伸長状態にあるスライドレールアセンブリを示す図である。
【図１２】図１２は、スライドレールアセンブリの第１のレールが第３のレールに対して伸長位置にあり、第２のレールが第１のレールに対して第２の方向に変位された状態を示す図である。
【図１３】図１３は、図１２の拡大領域Ａを示す図である。
【図１４】図１４は、スライドレールアセンブリの第１のレールが第３のレールに対して伸長位置にあり、第２のレールが第１のレールに対して第２の方向に続けて変位された状態を示す図である。
【図１５】図１５は、第３のレールに対して第２の方向に同期的に変位されたスライドレールアセンブリの第２のレール及び第１のレールを示す図である。
【図１６】図１６は、第３のレールに対して第２の方向に同期的に続けて変位されたスライドレールアセンブリの第２のレール及び第１のレールを示す図である。
【図１７】図１７は、第３のレールに対して第２の方向にもはや同期的に変位されていないスライドレールアセンブリの第２のレール及び第１のレールを示す図である。
【図１８】図１８は、引っ込められた状態にあるスライドレールアセンブリの部分図である。
【発明を実施するための形態】
【００１０】
図２及び図３に示すように、本発明の実施形態に係るスライドレールアセンブリ２０は、第１のレール２２、第２のレール２４、第１の摺動支援装置２６及び第２の摺動支援装置２８を含む。スライドレールアセンブリ２０は第３のレール３０をさらに含むことが好ましい。第１のレール２２は、第３のレール３０と第２のレール２４との間に可動に配置される。
【００１１】
第３のレール３０は、第１の壁３２ａ、第２の壁３２ｂ及び第３のレール３０の第１の壁３２ａと第２の壁３２ｂとの間に接続される長手壁３４を含む。第３のレール３０の第１の壁３２ａ、第２の壁３２ｂ及び長手壁３４は、第１のレール２２を収容する通路を共に定義する。加えて、第３のレール３０は前端ｆ３及び後端ｒ３を有する。第３のレール３０の長手壁３４は、解除構造（releasing  structure）３６及び位置決め構造３８を備えることが好ましい。解除構造３６は、位置決め構造３８に比べて第３のレール３０の後端ｒ３の近くにある。他方、位置決め構造３８は、解除構造３６に比べて第３のレール３０の後端ｒ３から離れている。
【００１２】
解除構造３６は、支持部３６ａと、支持部３６ａに隣接する係合解除部３６ｂとを含むことが好ましい。なお、ここでは、傾斜面又は湾曲面を係合解除部３６ｂの一例として示す（がこのような構成に限定されない）。
【００１３】
位置決め構造３８は、ガイド部３８ａ、ブロック部３８ｂ及びガイド部３８ａとブロック部３８ｂとの間に配置される中央部３８ｃを含む。傾斜面又は湾曲面をガイド部３８ａの一例として示し、壁又は凹部をブロック部３８ｂの一例として示す。。中央部３８ｃは実質的に平坦面である。しかしながら、実際の用途では、これらの部位は上記の構成に限定されない。
【００１４】
第１のレール２２は、第１の壁４０ａ、第２の壁４０ｂ及び第１のレール２２の第１の壁４０ａと第２の壁４０ｂとの間に接続される長手壁４２を含む。第１のレール２２の第１の壁４０ａ、第２の壁４０ｂ及び長手壁４２は、第２のレール２４を収容する通路を共に定義する。加えて、第１のレール２２は前端ｆ１及び後端ｒ１を含む。
【００１５】
第１の摺動支援装置２６及び第２の摺動支援装置２８は第１のレール２２に配置される。第１の摺動支援装置２６及び第２の摺動支援装置２８は、第１のレール２２の通路内に配置されることが好ましい。ここで、第１の摺動支援装置２６及び第２の摺動支援装置２８は、双方とも複数の回転部材を含む。例えば、第１の摺動支援装置２６は複数の第１の回転部材４４を含み、第２の摺動支援装置２８は、複数の第２の回転部材４６を含む。複数の回転部材４４、４６は、ボールベアリング又はホイールであり得るが、実際の用途ではこれに限定されない。
【００１６】
第２のレール２４は、第１の壁４５ａ、第２の壁４５ｂ及び第２のレール２４の第１の壁４５ａと第２の壁４５ｂとの間に接続される長手壁４７を含む。加えて、第２のレール２４は前端ｆ２及び後端ｒ２を有する。第２のレール２４は同期部２５を含む。孔Ｈの壁を同期部25の一例として示すが、実際の用途ではそのような構成に限定されない。
【００１７】
第１の摺動支援装置２６は、第１の端部４８ａ、第２の端部４８ｂ及び第１の端部４８ａと第２の端部４８ｂとに接続される長手部４８ｃを含むことが好ましい。第１の摺動支援装置２６の第１の端部４８ａ、第２の端部４８ｂ及び長手部４８ｃの位置は、第１のレール２２の第１の壁４０ａ、第２の壁４０ｂ及び長手壁４２の位置にそれぞれ対応する。第１の摺動支援装置２６の複数の第１の回転部材４４は、第１の摺動支援装置２６の第１の端部４８ａ及び第２の端部４８ｂに配置される。
【００１８】
第２の摺動支援装置２８は、第１の端部５０ａ、第２の端部５０ｂ及び第１の端部５０ａと第２の端部５０ｂとに接続される長手部５０ｃを含むことが好ましい。第２の摺動支援装置２８の第１の端部５０ａ、第２の端部５０ｂ及び長手部５０ｃの位置は、第１のレール２２の第１の壁４０ａ、第２の壁４０ｂ及び長手壁４２の位置にそれぞれ対応する。第２の摺動支援装置２８の複数の第２の回転部材４６は、第２の摺動支援装置２８の第１の端部５０ａ及び第２の端部５０ｂに配置される。
【００１９】
第２のレール２４が第１のレール２２に対して引っ込め位置Ｒにある場合、第１の摺動支援装置２６及び第２の摺動支援装置２８は、（図２に示すように）第２のレール２４の異なる区画を支持する。
【００２０】
図３、図４及び図５に示すように、第１のレール２２の長手壁４２は第1の開口５２及び第２の開口５４を有する。第１の開口５２及び第２の開口５４は、第１のレール２２の長手壁４２の第１の側Ｌ１と第２の側Ｌ２とを貫通して接続する。第１の側Ｌ１は第３のレール３０（の長手壁３４）に隣接し、第２の側Ｌ２は第２のレール２４（の長手壁４７）に隣接する。
【００２１】
スライドレールアセンブリ２０は、第１のレール２２に配置される第１の作用部材５６及び第２の作用部材５８をさらに含む。ここで、第１の作用部材５６及び第２の作用部材５８は、第１のレール２２に可動に配置される。一例として、第１の作用部材５６及び第２の作用部材５８は、第１の軸Ｘ１及び第２の軸Ｘ２を介して第１のレール２２の長手壁４２に枢結され得る。
【００２２】
スライドレールアセンブリ２０は、第１の作用部材５６及び第２の作用部材５８にそれぞれ弾性力を提供するために第１の弾性部材６０及び第２の弾性部材６２をさらに含むことが好ましい。
【００２３】
第２の摺動支援装置２８の長手部５０ｃは空間６４を有し、第１の作用部材５６及び第２の作用部材５８は空間６４の内に位置することが好ましい。
【００２４】
第２の摺動支援装置２８は係合部６５を含むことが好ましい。一例として、係合部６５は、第２の摺動支援装置２８の長手部５０ｃに配置され、係合部６５は空間６４に隣接する。突起を係合部６５の一例として示すが、実際の用途ではそのような構成に限定されない。
【００２５】
第１のレール２２は、第１の制限部６６及び第２の制限部６８をさらに含むことが好ましい。突起を第１の制限部６６及び第２の制限部６８の一例として示すが、実際の用途ではこのような構成に限定されない。第１の制限部６６及び第２の制限部６８の目的は、第２の摺動支援装置２８の長手方向への変位を第１のレール２２に対して制限された範囲又は特定の範囲内に制限することである。
【００２６】
第１の作用部材５６は第１の伸長部５６ａを有することが好ましい。第１の伸長部５６ａは、第３のレール３０の長手壁３４の方に向かって第１のレール２２の第１の開口５２を貫通する。他方、第２の作用部材５８は第２の伸長部５８ａを有し、第２の伸長部５８ａは、第３のレール３０の長手壁３４の方に向かって第１のレール２２の第２の開口５４を貫通する。第２の作用部材５８は、同期部２５と併せて用いられる対応部５８ｂも有する。
【００２７】
図６に示すように、スライドレールアセンブリ２０は引っ込められた状態にある。第１のレール２２は第３のレール３０に対して引っ込められ、第２のレール２４は第１のレール２２に対して引っ込められている。
【００２８】
第３のレール３０の後端ｒ３に隣接する領域には後ろ側ブロック構造７０（例えば、図３に示す突起）が設けられることが好ましい。第１のレール２２が第３のレール３０に対して引っ込められると、第１のレール２２の後端ｒ３は後ろ側ブロック構造７０と当接できる。
【００２９】
スライドレールアセンブリ２０は、第３のレール３０の通路に配置される少なくとも1つの摺動支援構造をさらに含むことが好ましい。少なくとも１つの摺動支援構造は、第１のレール２２を支持するために用いられる。ここでは、第１の摺動支援部７２ａ及び第２の摺動支援部７２ｂを含む第１の摺動支援構造を一例として示すが、実際の用途では、摺動支援部の数は上記のものに限定されない。第１の摺動支援部７２ａ及び第２の摺動支援部７２ｂは、第１のレール２２の第１の壁４０ａ及び第２の壁４０ｂをそれぞれ支持し、第１の摺動支援部７２ａ及び第２の摺動支援部７２ｂは、第３のレール３０に対する第１のレール２２の相対変位を支援するために、ボールベアリング又はホイール等の複数の第３の回転部材７４を含む。第１のレール２２は少なくとも１つの押圧部、例えば第１の押圧部７６ａ及び第２の押圧部７６ｂを有することが好ましい。第３のレール３０の前端ｆ３に隣接する領域には、少なくとも１つの前側ブロック構造、例えば第１の前側ブロック構造７８ａ及び第２の前側ブロック構造７８ｂが設けられる。第1の摺動支援部７２ａは第１の押圧部７６ａと第１の前側ブロック構造７８ａとの間にあり、第２の摺動支援部７２ｂは、第２の押圧部７６ｂと第２の前側ブロック構造７８ｂとの間にある。
【００３０】
さらに、第２のレール２４は前側区画、中間区画及び後ろ側区画Ｋ１を有する。第２のレール２４が第１のレール２２に対して引っ込め位置Ｒにある場合、第１の摺動支援装置２６の複数の第１の回転部材４４及び第２の摺動支援装置２８の複数の第２の回転部材４６は、第２のレール２４の異なる区画を支持する。複数の第２の回転部材４６は、少なくとも第２のレール２４の後ろ側区画Ｋ１の第１の壁４５ａ及び第２の壁４５ｂの一部を支持し（図２にも図示）、第１の摺動支援装置２６の複数の第１の回転部材４４は、第２のレール２４の後ろ側区画Ｋ１以外の区画Ｋ２を支持する（図２にも図示）。例えば、第１の摺動支援装置２６の複数の第１の回転部材４４は、第２のレール２４の第１の壁４５ａ及び第２の壁４５ｂの中間区画及び／又は前側区画の一部を支持する。加えて、第２の作用部材５８と位置決め構造３８とは、それらの間に所定の長手距離を有する。第２の作用部材５８は、第２の弾性部材が弾性力を放つことを通じて、第１の所定の状態Ｓ１に留まることができる。他方、第１の作用部材５６は、第１の伸長部５６ａが解除構造３６の支持部３６ａにより支持されることで、第１の弾性部材６０に弾性力を蓄積させることを通じて、第１の状態Ｙ１に留まることができる。さらに、第２の摺動支援装置２８は初期位置Ｍ１にあり、第１の設定部７５は、第２の摺動支援装置２８の第２の制限部６８と当接できる。第２のレール２４の同期部２５及び第２の作用部材５８の対応部５８ｂは、それらの間に所定の距離を有する。
【００３１】
図７に示すように、第２のレール２４が第１のレール２２に対して所定の距離上記の引っ込め位置Ｒから第１の方向Ｄ1に長手に変位されると、第２のレール２４の同期部２５は第２の作用部材５８の対応部５８ｂと接触する。このとき、第１の摺動支援装置２６及び第２の摺動支援装置２８も第１の方向Ｄ１に変位する。
【００３２】
図８に示すように、第２のレール２４が第１のレール２２に対して引っ込め位置Ｒから第１の方向Ｄ１に続けて変位されると、第２のレール２４は、第２の作用部材５８の対応部５８ｂと接触する同期部２５を介して第１のレール２２を駆動して、第２のレール２４と第１のレール２２とが、第３のレール３０に対して第１の方向Ｄ１に同期的に変位できるようにする。他方、第１の作用部材５６の第１の伸長部５６ａは、解除構造３６の支持部３６ａによってもはや支持されていない。従って、第１の作用部材５６は、第１の弾性部材６０が弾性力を放つことを通じて上述の第１の状態Ｙ１から第２の状態Ｙ２に変化する。
【００３３】
図９に示すように、第２のレール２４及び第１のレール２２が第３のレール３０に対して第１の方向Ｄ１に同期的に続けて変位されると、第２の作用部材５８の第２の伸長部５８ａは位置決め構造３８のガイド部３８ａと接触する。このとき、第２の作用部材５８はまだ第１の所定の状態Ｓ１にある。
【００３４】
図１０に示すように、第２のレール２４及び第１のレール２２が第３のレール３０に対して第１の方向Ｄ１にさらに同期的に変位されると、第２の作用部材５８が位置決め構造３８の中央部３８ｃによって支持され、上述の第１の所定の状態Ｓ１から第２の所定の状態Ｓ２に変化するように、第２の作用部材５８の第２の伸長部５８ａが位置決め構造３８のガイド部３８ａにより中央部３８ｃにガイドされる。第２の所定の状態Ｓ２では、第２の弾性部材６２が弾性力を蓄積する。具体的には、第２の作用部材５８の第２の伸長部５８ａがガイド部３８ａによってガイドされると、ガイド部３８ａと中央部３８ｃとの間の（図示の）突出した垂直位置の差異によって、第２の伸長部５８ａがガイド部３８ａの端部に沿って中央部３８ｃに動かされる。これにより、第２の作用部材５８が回転されて第２の所定の状態Ｓ２になる。ここで、第２の伸長部５８ａは、第２の弾性部材６２が弾性力を蓄積するように第２の弾性部材６２と当接できる。このとき、第２の作用部材５８は所定の角度枢動されて第２の所定の状態Ｓ２に至る。従って、第２のレール２４の同期部２５は、第２の作用部材５８の対応部５８ｂともはや接触していない。このように、第２のレール２４と第１のレール２２とは、第３のレール３０に対して第１の方向Ｄ１にもはや同期的に変位しない。即ち、第２のレール２４と第１のレール２２とは独立して且つ別個に第３のレール３０に対して第１の方向Ｄ１に変位できる。加えて、第２の摺動支援装置２８の係合部６５は、第１の作用部材５６のガイド部５６ｂと接触できる。ガイド部５６ｂは傾斜面又は湾曲面であることが好ましい。
【００３５】
図１１に示すように、第１のレール２２が第３のレール３０に対して伸長位置Ｐへと第１の方向Ｄ１に変位されると、第２の作用部材５８は中央部３８ｃからブロック部３８ｂに変位し、第２の弾性部材６２が弾性力を放つことに対応して第１の所定の状態Ｓ１に戻される。さらに、第２の作用部材５８の第２の伸長部５８ａは、伸長位置Ｐにある第１のレール２２が、第１の方向Ｄ１と反対の第２の方向Ｄ２に変位するのを防止するために、位置決め構造３８のブロック部３８ｂと係合する。第１のレール２２の第１の押圧部７６ａ及び第２の押圧部７６ｂは、第１の摺動支援部７２ａ及び第２の摺動支援部７２ｂの前端が第３のレール３０の第１の前側ブロック構造７８ａ及び第２の前側ブロック構造７８ｂによりそれぞれブロックされるように、第1の摺動支援部７２ａ及び第２の摺動支援部７２ｂの後端をそれぞれ第１の方向Ｄ１に押圧できる。
【００３６】
加えて、第１のレール２２が第３のレール３０に対して伸長位置Ｐにある場合、第２のレール２４は、スライドレールアセンブリ２０が伸長状態であることができるように、依然として第１のレール２２に対して第１の方向Ｄ１に続けて変位できる。具体的には、第１のレール２２が伸長位置Ｐにあり、第２のレール２４が第１のレール２２に対して第１の方向Ｄ１に所定の開範囲で変位されると、第２の摺動支援装置２８は第２のレール２４を追って所定の位置Ｍ２へと第１の方向Ｄ１に変位される。そして、第２の摺動支援装置２８の第２の設定部８０は、第２の摺動支援装置２８と第１の制限部６６とが互いに当接して所定の位置Ｍ２にある第２の摺動支援装置２８が第１の方向Ｄ１に変位するのを防止するために第１の制限部６６に当接できる。第２の摺動支援装置２８が所定の位置Ｍ２にある場合、第２の摺動支援装置２８は、第２の状態Ｙ２にある第１の作用部材５６と係合部６５との間のブロック構成（blocking  arrangement）により、第２の方向Ｄ２に変位するのが防止されている。第２の摺動支援装置２８が所定の位置Ｍ２にある他の代わりの又は代替的な実施形態では、第２の摺動支援装置２８は、第２の状態にある第１の作用部材５６と、係合部６５が第１の作用部材５６と第２の作用部材５８との間にあることを通じて第１の所定の状態Ｓ１にある第１の作用部材５６との間でブロックできる。このように、所定の位置Ｍ２にある第２の摺動支援装置２８を第１の方向Ｄ１又は第２の方向Ｄ２に変位するのを防止できる。
【００３７】
なお、第２の摺動支援装置２８を所定の位置Ｍ２へと第１の方向Ｄ１に変位させるプロセスの間に、第２の摺動支援装置２８は（係合部６５を介して）第１の作用部材５６のガイド部５６ｂを押圧して第１の作用部材５６を僅かに回転させることができる。第２の摺動支援装置２８の係合部６５が第１の作用部材５６を通過した後、第２の摺動支援装置２８は所定の位置Ｍ２にあることができ、第１の作用部材５６は、第１の弾性部材６０の弾性力を介して第２の状態Ｙ２に留まることができる。あるいは、本願で示していない状態では、本発明は、第２の摺動支援装置２８の係合部６５が第１の作用部材５６を最初に通過し、そして第1の作用部材５６は解除構造３６を介して第１の状態Ｙ１から第２の状態Ｙ２に変化することができるように設計できる。双方の実施形態は、需要に応じて本発明に適用可能である。
【００３８】
図１２、図１３及び図１４に示すように、第２の作用部材５８は係合解除部５８ｃをさらに含む。本明細書では、対応部５８ｂに隣接する係合解除部５８ｃを一例として示す。
【００３９】
開位置（例えば、限定されないが完全伸長位置）にある第２のレール２４が第１のレール２２に対して第２の方向Ｄ２に所定の範囲変位されると、第２のレール２４の一部（例えば、限定されないが第２のレール２４の後端ｒ２）は、第２の作用部材５８の第２の伸長部５８ａと位置決め構造３８のブロック部３８ｂとの係合が解除されるよう第２の作用部材５８が（図１２及び図１３に示す）第１の所定の状態Ｓ１から（図１４に示す）第２の所定の状態Ｓ２に変わるように第２の作用部材５８の係合解除部５８ｃに当接できる。これにより、第１のレール２２を（図１２に示す）伸長位置Ｐから第２の方向Ｄ２に変位させることができる。
【００４０】
図１５に示すように、第１の作用部材５６は駆動部５６ｃをさらに含む。本明細書では、ガイド部５６ｂに隣接する駆動部５６ｃを一例として示す。第２のレール２４が第２の方向Ｄ２に続けて変位されると、第２のレール２４の一部（例えば、限定されないが、第２のレール２４の後端ｒ２）は、第２のレール２４と第１のレール２２とが第３のレール３０に対して第２の方向Ｄ２に同期的に変位できるように、第２の状態Ｙ２にある第１の作用部材５６の駆動部５６ｃと接触する。加えて、第１の作用部材５６及び解除構造３６は、それらの間に長手距離を有する。なお、第２のレール２４と第１のレール２２とが第２の方向Ｄ２に同期的に変位することには次のような利点がある。第２のレール２４の端部と第１のレール２２の端部との間（例えば、２つのレールの前端ｆ２及びｆ１の間）に所定の間隔Ｇを維持することができ、所定の間隔Ｇは短いため、第１のレール２２に対して第２のレール２４を第２の方向Ｄ２に引っ込めるプロセスの間にユーザーの指が挟まれるのが防止されるか又は第２のレール２４が保持物体に取り付けられている場合に、第２のレール２４と、第１のレール２２とを第２の方向Ｄ２に同期的に変位させることにより、構造の全体的な保持能力を高めることができる。
【００４１】
図１６に示すように、第２のレール２４及び第１のレール２２が第３のレール３０に対して第２の方向Ｄ２に同期的に続けて変位されると、第１の作用部材５６の第１の伸長部５６ａは解除構造３６の係合解除部３６ｂと接触する。
【００４２】
図１７に示すように、第２のレール２４及び第１のレール２２が、第３のレール３０に対して第２の方向Ｄ２に所定の戻り範囲でさらに変位されると、第１の作用部材５６の第１の伸長部５６ａは、第１の作用部材５６がもはやその状態でなくなる（例えば、第１の作用部材５６が上述の第２の状態Ｙ２から第１の状態Ｙ１に戻される）ように、解除構造３６の係合解除部３６ｂによって駆動されて支持部３６ａに至る。即ち、係合部６５が第２の方向Ｄ２に変位するのを第１の作用部材５６がブロックできないことから、係合部６５と第１の作用部材５６との間のブロック構成がもはや存在しない。従って、第２の摺動支援装置２８は、上述の所定の位置Ｍ２から第２の方向Ｄ２に変位できる。このように、第１のレール２２を第３のレール３０に対して引っ込めることができる。
【００４３】
図１８に示すように、第１のレール２２が第３のレール３０に対して引っ込められた後、第２のレール２４は第１のレール２２に対して第２の方向Ｄ２に変位でき、第２の摺動支援装置２８も、スライドレールアセンブリ２０が上述の引っ込め状態に戻るまで第２の方向Ｄ２に変位できる。
【００４４】
前述の実施形態から、本発明は以下の利点を含むことが分かる。
【００４５】
１）第２のレール２４が第１のレール２２に対して引っ込め位置Ｒにある場合、第１の摺動支援装置２６の複数の第１の回転部材４４及び第２の摺動支援装置２８の複数の第２の回転部材４６は、第２のレール２４の異なる部分を支持する。第２の摺動支援装置２８の複数の第２の回転部材４６は、少なくとも第２のレール２４の後ろ側区画Ｋ１の一部を支持する。
【００４６】
２）第２の摺動支援装置２８は、第１のレール２２に対して変位可能である。第２の摺動支援装置２８が所定の位置Ｍ２へと第１の方向Ｄ１に変位されると、係合部６５と第２の状態Ｙ２にある第１の作用部材５６との間のブロック構成を介して、第２の摺動支援装置２８が第２の方向Ｄ２に変位するのを防止できる。
【００４７】
３）第２のレール２４が開位置から第２の方向Ｄ２に変位されると、第２のレール２４の一部（例えば、第２のレール２４の後端ｒ２）は、第２のレール２４及び第１のレール２２が第３のレール３０に対して第２の方向Ｄ２に同期的に変位できるように、第２の状態Ｙ２にある第１の作用部材５６の駆動部５６ｃと接触する。このような構成の利点としては、例えば、第２のレール２４の端部と第１のレール２２の端部（例えば、２つのレールの前端ｆ２及びｆ１)との間に所定の間隔Ｇが維持され、所定の間隔Ｇは短いため、第１のレール２２に対して第２のレール２４を第２の方向Ｄ２に引っ込めるプロセスの間にユーザーの指が挟まれるのを防止できることを含む。
【００４８】
４）第２のレール２４及び第１のレール２２が、第３のレール３０に対して第２の方向Ｄ２に所定の戻り範囲で変位された場合、第２の状態Ｙ２にある第１の作用部材５６は解除構造３６の係合解除部３６ｂによって駆動されて第１の状態Ｙ１に変わるため、第２の摺動支援装置２８を所定の位置Ｍ２から第２の方向Ｄ２に変位させることができる。
【符号の説明】
【００４９】
２０  スライドレールアセンブリ
２２  第１のレール
２４  第２のレール
２６  第１の摺動支援装置
２８  第２の摺動支援装置
３０  第３のレール
３６  解除構造
３８  位置決め構造
４４  第１の回転部材
４６  第２の回転部材
５２  第１の開口
５４  第２の開口
５６  第１の作用部材
５８  第２の作用部材
６０  第１の弾性部材
６２  第２の弾性部材
６４  空間
６６  第１の制限部
６８  第２の制限部
７０  後ろ側ブロック構造
７４  第３の回転部材
【図１】
0006978527.tif 000002
【図２】
0006978527.tif 000003
【図３】
0006978527.tif 000004
【図４】
0006978527.tif 000005
【図５】
0006978527.tif 000006
【図６】
0006978527.tif 000007
【図７】
0006978527.tif 000008
【図８】
0006978527.tif 000009
【図９】
0006978527.tif 000010
【図１０】
0006978527.tif 000011
【図１１】
0006978527.tif 000012
【図１２】
0006978527.tif 000013
【図１３】
0006978527.tif 000014
【図１４】
0006978527.tif 000015
【図１５】
0006978527.tif 000016
【図１６】
0006978527.tif 000017
【図１７】
0006978527.tif 000018
【図１８】
0006978527.tif 000019